(57)【要約】      （修正有）【課題】移動の際には、かさばらず、軽量であることにより楽に持ち運べ、練習時には、位置に着く姿勢を取る際にスターティングブロックが振れにくく、さらに、安全面での取扱いが容易なスターティングブロック装置を提供する。【解決手段】左足および右足用のスターティングブロックとスターティングブロックを連結する連結板７ａから構成され、スターティングブロックの台板１の先端部右側と先端部左側に地面固定用ピン５を有し、スターティングブロックの前方および後方に連結板７ａとの連結手段６ａ、６ｂが設けられている。【選択図】図１
2014200654.tif 000002
【特許請求の範囲】
【請求項１】
スターティングブロック装置において、
左足および右足用のスターティングブロックとスターティングブロック間を連結する連結板からなり、
スターティングブロックは、台板、蹴り板、蹴り板を支える支持板を有し、
台板の先端部右側と先端部左側に地面固定用ピンを有し、
スターティングブロックと連結板の連結手段を有し、
この連結手段は、
スターティングブロック側には、スターティングブロック前方または後方のいずれか一方で連結板と連結可能となるよう、スターティングブロック前方および後方に連結手段が設けられ、
連結板側には連結板の前後方向いずれかの位置で連結できる手段が設けられ、
さらに、この連結手段は、
スターティングブロック装置の後方から見た場合、連結板に対してスターティングブロックが時計方向と反時計方向に回転することを規制する規制手段、
および、スターティングブロック装置の左側または右側から見た場合、連結板に対してスターティングブロックが時計方向と反時計方向に回転することを規制する規制手段を有する、
ことを特徴とするスターティングブロック装置。
【請求項２】
スターティングブロックと連結板の連結手段が、
連結板のピン挿入穴列にスターティングブロック側に配置された連結ピンを挿入することで連結される連結手段であって、
連結板の側面にピン挿入穴列が設けられ、
スターティングブロックの前方側面および後方側面に連結ピンが配置された、
ことを特徴とする、請求項１のスターティングブロック装置
【請求項３】
スターティングブロックと連結板の連結手段が、
連結板側面のガイドレールの溝にスターティングブロックに取り付けられた摺動ピンの頭部がはまり、ガイドレール上を摺動できる連結手段であって、
連結板には、側面にスターティングブロックに溝を有するガイドレールを有し、
スターティングブロックの前方側面および後方側面に摺動ピンを有する、
ことを特徴とする、請求項１のスターティングブロック装置
【請求項４】
台板にピン保護用穴を有することを特徴とする、請求項１のスターティングブロック装置。
【発明の詳細な説明】
【技術分野】
【０００１】  この発明は陸上短距離走の練習に使用するスターティングブロック装置に関する。
【背景技術】
【０００２】  スターティングブロック装置は使用時に装置が振れない安定性が求められ、これを達成するため、スターティングブロックとスターティングブロックの間に長さ７０ｃｍから９０ｃｍ程度のレールを連結させ、また、質量を増加させている。練習で用いられるような市販品で重量５ｋｇ以上のものが販売されている。一方、レールを除いた持ち運びの楽な軽量のスターティングブロックが存在する（たとえば、特許文献１参照）。
【特許文献１】米抄６，２３８，３１９
【発明の概要】
【発明が解決しようとする課題】
【０００３】  百分の１秒を争う陸上短距離走のスタートは非常に重要な要素であり、練習においても、スターティングブロック装置を用いるのが望ましい。一方、スターティングブロック装置は使用時の安定性が求められ、これを達成するため、スターティングブロックとスターティングブロックの間に長さ７０ｃｍから９０ｃｍ程度のレールを連結させ、また、質量を増加させている。練習で用いられるような市販品でも、５ｋｇ以上のものが販売されている。レールが長くてかさばり、さらに重量があるものを個人での練習時に練習場まで持っていくのは大変である。一方、レール除いた軽量のスターティングブロックが市販されているが、レールがないため不安定で、位置に着く姿勢をとるために足を設置する際、スターティングブロックが振れないように気を使うことでスタートに集中できない問題があった。準備または片づけの際に地面固定用のピンでけがをしないよう注意を必要とする。これらの理由から、個人での練習時にはスターティングブロック装置を用いての練習が気軽にできなかった。【０００４】  そこで、この発明は、移動の際には、かさばらず、軽量であることにより、楽に持ち運べ、練習時には、位置に着く姿勢を取る際にスターティングブロックが振れにくく、さらに、準備または片づけの際に、地面固定用のピンの保護が簡単に行える、スターティングブロック装置を提供することを目的とする。
【課題を解決するための手段】
【０００５】  上記目的を達成するために、第一の発明は、スターティングブロック装置において、
左足および右足用のスターティングブロックとスターティングブロック間を連結する連結板からなり、
スターティングブロックは、台板、蹴り板、蹴り板を支える支持板を有し、
台板の先端部右側と先端部左側に地面固定用ピンを有し、
スターティングブロックと連結板の連結手段を有し、
この連結手段は、
スターティングブロック側には、スターティングブロック前方または後方のいずれか一方で連結板と連結可能となるよう、スターティングブロック前方および後方に連結手段が設けられ、
連結板側には連結板の前後方向いずれかの位置で連結できる手段が設けられ、
さらに、この連結手段は、
スターティングブロック装置の後方から見た場合、連結板に対してスターティングブロックが時計方向と反時計方向に回転することを規制する規制手段、
および、スターティングブロック装置の左側または右側から見た場合、連結板に対してスターティングブロックが時計方向と反時計方向に回転することを規制する規制手段を有する、
ことを特徴とするスターティングブロック装置である。【０００６】  第二発明は、第一発明のスターティングブロックと連結板の連結手段が、
連結板のピン挿入穴列にスターティングブロック側に配置された連結ピンを挿入することで連結される連結手段であって、
連結板の側面にピン挿入穴列が設けられ、
スターティングブロックの前方側面および後方側面に連結ピンが配置された、
構造を有する連結手段である。【０００７】  第三発明は、第一発明のスターティングブロックと連結板の連結手段が、
連結板側面のガイドレールの溝にスターティングブロックに取り付けられた摺動ピンの頭部がはまり、ガイドレール上を摺動できる連結手段であって、
連結板には、側面にスターティングブロックに溝を有するガイドレールを有し、
スターティングブロックの前方側面および後方側面に摺動ピンを有する、
構造の連結手段である。【０００８】  第四発明は、第一発明において、台板にピン保護用穴を有することである。
【発明の効果】
【０００９】  第一発明による効果は次のとおりである。
練習用のものとはいえ、競技用のスターティングブロック装置と同様、台板、蹴り板、蹴り板を支える支持脚を有し、角度調整ができるので、競技時とそん色ないスタート練習ができる。【００１０】  左足用および右足用のスターティングブロックがそれぞれ「台板の先端部右側と先端部左側に地面固定用ピンを有する」ことは、走者がスタート姿勢を取るためにスターティングブロックにつま先を設置する際、台板のピンが地面を強く押すように作用する。この作用によってスタート姿勢を取る時点で、スターティングブロックは、スターティングブロック上方から見て、前後、左右の動きおよび時計方向、反時計方向の回転が制限される。【００１１】  一方、スターティングブロックと連結板の連結において「スターティングブロック装置の後方から見た場合、連結板に対してスターティングブロックが時計方向と反時計方向に回転することを規制する規制手段」、および「スターティングブロック装置の左側または右側から見た場合、連結板に対してスターティングブロックが時計方向と反時計方向に回転することを規制する規制手段」をもたせることで、左右のスターティングブロックと連結板を連結して一体化したスターティングブロック装置は、スターティングブロック単体に比べて、左右の幅が広くなり、前後の長さも長くなる。【００１２】  これによりスターティングブロック装置は、後方から見て、時計方向、反時計方向に回転しにくくなり、また、側面から見て時計方向、反時計方向に回転しにくくなる。【００１３】  これら「地面固定ピンの作用」と「スターティングブロックと連結板の連結の作用」により、スターティングブロック装置全体が軽量であっても、スタート姿勢をとろうとして片足ずつスターティングブロックに乗せる際に、スターティングブロックが振れるのを防止できる。【００１４】  スタート時にスターティングブロックにかかる力は、主に「台板と地面の摩擦」と「ピン」が受け持ち、連結板との連結部には、ほとんど力がかからない。スタート準備時に片足ずつスターティングブロックに乗せる際の左右の振れを抑えるのに必要な強度さえあればいいので、連結固定ピンや連結板の軽量化が可能となる。【００１５】  スターティングブロックの前と後にそれぞれ連結手段を有することで、どちらかの連結手段を選択することにより、連結板の長さを台板の長さと同程度にしても、左右のスターティングブロックの前後間隔が十分長くとれることになる。連結板が短くできることにより、かさばらなくなり持ち運びが楽になる。【００１６】  以上より、移動の際には、かさばらず、軽量であることにより楽に持ち運べ、練習時には、位置に着く姿勢を取る際にスターティングブロックが振れにくい、スターティングブロック装置が実現できる。【００１７】  第二発明による効果は、連結板のピン挿入穴列とスターティングブロックのピンでの連結という簡単方法であるにも関わらず、スターティングブロック装置後方から見た場合、連結板に対してスターティングブロックが時計方向および反時計方向の回転を制限し、かつ、スターティングブロック装置側面から見た場合、時計方向および反時計方向の回転を規制することが確実に行える。【００１８】  第三発明による効果は、連結板のスライドレールを摺動ピンが滑ることによって簡単に位置合わせができる方法であるにも関わらず、スターティングブロック装置後方から見た場合、連結板に対してスターティングブロックが時計方向および反時計方向の回転を制限し、かつ、スターティングブロック装置側面から見た場合、時計方向および反時計方向の回転を制限することが確実に行える。【００１９】  第四発明による効果は、片方の台板の地面固定用のピンともう片方の台板ピン穴を合わせて合体させることでピンが隠れることである。スターティングブロック装置を片づける際に、準備または片づけの際に、地面固定用のピンの保護が簡単に行える。また、左右のスターティングブロックを合体したものと連結板は、Ａ４サイズ程度の袋に入れられるので、非常に持ち運びが楽である。
【発明を実施するための形態】
【００２０】「第一実施形態」
この発明の一実施形態を、図１、図２、図３を用いて説明する。
【００２１】  図１は本発明の一実施形態を示す斜視図である。スターティングブロックは、台板１、蹴り板２ａ、蹴り板を支える支持板３ａ、台板先端の左側および右側に地面固定用ピン５を有している。
連結板７ａの側面にピン挿入穴列８ａが設けられ、スターティングブロックの前方側面にはピン配置用穴９ａを、後方側面にはピン配置用穴１０ａを有している。
スターティングブロックの前方側面の連結ピン配置用穴９ａまたは後方側面の連結ピン配置用穴１０ａのいずれかを選択し、ピン６ａおよび６ｂを接続する。次に連結板のピン挿入穴列８ａの２か所にピン６ａおよび６ｂを挿入することによって、連結板とスターティングブロックが連結される。
【００２２】  図２（ａ）は、図１を組み立てた図である。スターティングブロック側の連結ピン配置用穴の選択、および、連結板のピン連結穴列の穴を選択する方法によって、スターティングブロックどうしの前後の距離が変更できる。
【００２３】  図２（ｂ）は、左右のスターティングブロックの前後間の距離を説明した図である。右のスターティングブロックは後方のピン配置用穴１０ａを選択して連結板のピン挿入穴列８ａの前側部分と連結し、左のスターティングブロックは前方のピン配置用穴９ａを選択して連結板のピン挿入穴列８ａの後側部分を連結した場合を例とした。台板の長さが２５ｃｍ、連結板の長さの長さも台板の長さと同じ２５ｃｍ、右側スターティングブロックと連結板の連結部分の重なり長さが６ｃｍ、左側スターティングブロックと連結板の連結部分の重なり長さが１０ｃｍと設定した本例では、左右の足の前後距離は３４ｃｍ確保できる。
【００２４】  スタート位置に着いた時の左右の足の前後距離の目安は一般に一足分程度であり、たとえば成人男性では２６〜２７ｃｍ程度であるため、上述の例ではその目安値よりも十分確保できていることになる。
【００２５】  図２（ａ）に示すとおり、本連結手段によって、スターティングブロック装置の後方２０から見た場合、連結板に対してスターティングブロックが時計方向２２と反時計方向２３に回転することが規制される。また、スターティングブロックの側面２１から見た場合、連結板に対してスターティングブロックが時計方向２２と反時計方向２３に回転することが規制される。
【００２６】  台板先端の左側および右側の地面固定ピン５は、走者がスタート姿勢を取る際、つま先からの力で強く地面に押し付けられる。この作用により、スターティングブロック単体の状態で、スターティングブロック装置上方向１９から見て、前後左右方向２４の動き、また、時計方向２２、反時計方向２３の回転が規制される。一方、片側スターティングブロックと連結板、さらにもう片側のスターティングブロックが本連結方法で組み合わされて一体化したスターティングブロック装置２５の状態になると、スターティングブロック単体時に比べて、後方２０から見て時計回り方向２２、反時計周り方向２３の回転のしにくさ、側方２１から見て時計回り方向２２、反時計周り方向２３の回転のしにくさが向上する。
【００２７】  図３は、片づける際の説明図である。台板には地面固定用のピン５が２か所、また、地面固定用のピンが入る穴１１が２か所設けられている。台板の地面接地面どうしを前後反対にして組み付けることによって地面固定ピン５が穴１１に入り、ピンでのけがを防止することができる。蹴り板を閉じて、左右のスターティングブロックを組み付けることでコンパクトにすることができ、連結板、連結ピンを含めてもＡ４サイズ程度の袋に収納可能となる。
【００２８】「第二実施形態」
第二実施形態を図４に示す。第一実施形態は、連結ピンが連結する際にスターティングブロックに取り付ける構造であるが、第二実施形態は、連結ピンがスターティングブロックに収納できる形態である。２か所ある６ｄのピンは、あらかじめスターティングブロックに固定しておき、６ｃの連結ピンは連結板に固定する際にスターティングブロックから引張り出して連結板の穴に挿入する。
【００２９】「第三実施形態」
第三実施形態を図５に示す。幅広形状の連結ピン６ｅを有する形態であり、スターティングブロックと一本の連結ピンで連結できる形態である。
【００３０】「第四実施形態」
第四実施形態を図６に示す。連結ピン１７をスターティングブロック装置上方向から差し込む形態である。連結ピンを連結板の穴１８にねじで固定する手段を有することで、スターティングブロック装置の後方から見た場合、連結板に対してスターティングブロックが時計方向と反時計方向に回転することを規制する。また、スターティングブロック装置の側面方向から見た場合、連結板に対してスターティングブロックが時計方向、反時計方向に回転することを規制する。
【００３１】「第五実施形態」
第五実施形態を図７に示す。第一実施形態は、連結ピンを連結板に挿入する構造であるが、第五実施形態は、連結板７ｅに設けられた溝付きレール１４と、スターティングブロックに設けたレール内の溝を摺動する摺動連結ピン１２ａ、１３ａが組み付く構造である。図７（ａ）は分解図、図７（ｂ）は組立図である。
【００３２】「第六実施形態」
第六実施形態を図８に示す。第五実施形態に対し、第六実施形態は、摺動連結ピン１２ｂ、１３ｂが幅広になっているものである。
【００３３】「その他の実施形態」
その他の形態例を図９に示す。凸型連結板１５を凹型連結板１４に挿入する構造であり、挿入する程度によりスターティングブロック間の前後距離が変更できる。図９の（ａ）は、第１から第６実施形態と同様の角度可変式スターティングブロックの形態であり、（ｂ）は角度固定のスターティングブロックの形態であり、スターティングブロックの前後逆向きにすることで角度の変更ができる。本形態のように台板１は分割されていてもかまわない。
【図面の簡単な説明】
【００３４】
【図１】本発明の第一実施形態の分解状態の概略図。
【図２】本発明の第一実施形態の組立状態の一例を示す概略図であり、（ａ）は斜視図、（ｂ）は組み付け時の台板と連結板の寸法についての説明図。
【図３】本発明の第一実施形態を持ち運ぶ際の収納方法説明図であり（ａ）は左右のスターティングブロックどうしを組み付ける方法の説明図であり（ｂ）は収納袋への入れ方の説明図。
【図４】本発明の第二実施形態の概略図である。形態をスターティングブロックの右側で代表させた。
【図５】本発明の第三実施形態の概略図である。形態をスターティングブロックの右側で代表させた。
【図６】本発明の第四実施形態の概略図である。形態をスターティングブロックの右側で代表させた。
【図７】本発明の第五実施形態の概略図であり（ａ）はスターティングブロックの右側で代表させた分解図であり（ｂ）は組立図。
【図８】本発明の第六実施形態の概略図である。形態をスターティングブロックの右側で代表させた。
【図９】本発明のその他の実施形態の概略図である。（ａ）はスターティングブロックの角度が可変できる形態でスターティングブロックの右側で代表させた図で（ｂ）は角度固定のスターティングブロックで、前後逆向きにすることで２段階に角度変更できる形態の図。
【符号の説明】
【００３５】１  台板                    ２ａ、２ｂ、２ｃ  蹴り板
３ａ、３ｂ  支持板          ４  ゴム板
５  地面固定用ピン
６ａ，６ｂ、６ｃ、６ｄ、６ｅ  連結ピン
７ａ、７ｂ、７ｃ、７ｄ、７ｅ  連結板
８ａ、８ｂ、８ｃ  ピン連結穴列
９ａ、９ｂ  前側の連結ピン配置用穴  １０ａ、１０ｂ  後側の連結ピン配置用穴
１１  地面固定用のピンが入る穴
１２ａ、１２ｂ  前側の摺動連結ピン  １３ａ、１３ｂ  後側の摺動連結ピン
１４  溝付きレール
１５  凹型連結板  １６  凸型連結板
１７  先端ねじ付きの連結ピン  １８  穴内部ねじ付きのピン連結穴列
１９  上方向から見ていることを示す矢印  ２０  後方から見ていることを示す矢印
２１  左側方から見ていることを示す矢印
２２  時計方向の回転を示す矢印  ２３  反時計方向の回転を示す矢印
２４  前後左右に動く方向を示す矢印
２５  スターティングブロックと連結板が連結されて一体化したスターティングブロック装置
２６  左右のスターティングブロックの組み付け状態と、連結板と連結ピン
【図１】
2014200654.tif 000003
【図２】
2014200654.tif 000004
【図３】
2014200654.tif 000005
【図４】
2014200654.tif 000006
【図５】
2014200654.tif 000007
【図６】
2014200654.tif 000008
【図７】
2014200654.tif 000009
【図８】
2014200654.tif 000010
【図９】
2014200654.tif 000011